(57)【特許請求の範囲】
【請求項１】
外部空間域へ放出される内容物を収容する軟性袋状本体と、トリガレバータイプの回動操作部を有する内容物放出用ポンプ機構の環状カラー部が取り付けられて前記軟性袋状本体の開口部からの内容物流出域として作用する硬性のスパウトと、からなるパウチを、幅狭の上端部を有し硬性で開閉態様のホルダに保持するパウチ保持構造において、
前記ホルダは、
一対で、それぞれの上端側が、前記軟性袋状本体の上端溶着部の基準外幅以上の広い内幅部分から前記上端部へといたる範囲においてその上側が狭くなる内幅態様で形成され、かつ利用者が前記回動操作部を放出操作する際に把持しやすい上端側幅狭部分からなって、開閉自在なホルダ枠部材と、
前記上端部に形成されて前記スパウトを位置決めする一対の内側切欠状部分と、を備え、
前記スパウトは、
前記パウチを前記ホルダ枠部材に保持したときに、
前記内側切欠状部分の上側に位置して前記環状カラー部と結合する上筒状部と、
前記内側切欠状部分の下側に位置して前記上端溶着部の前記開口部まで連続する下筒状部と、を備え、
前記下筒状部は、
前記パウチを前記ホルダ枠部材に保持したときに、前記上端溶着部が前記ホルダ枠部材の前記基準外幅以上の長さの幅広部分に配設される形の、ホルダ上下方向の長さを有している、
ことを特徴とするパウチ保持構造。
【請求項２】
請求項１に記載のパウチ保持構造を構成するスパウトであって、
前記環状カラー部との結合作用を呈する上筒状部と、
前記上端溶着部の前記開口部に取り付けられる下筒状部と、を備え、
前記下筒状部は、
前記パウチを前記ホルダ枠部材に保持したときに、前記上端溶着部が前記ホルダ枠部材の前記基準外幅以上の長さの幅広部分に配設される形の、ホルダ上下方向の長さを有している、
ことを特徴とするスパウト。
【請求項３】
請求項１に記載のパウチ保持構造を構成するパウチであって、
前記ホルダ枠部材に保持されたときに、
前記内側切欠状部分の上側に位置して前記環状カラー部と結合する上筒状部と、
前記内側切欠状部分の下側に位置して前記上端溶着部の前記開口部まで連続する下筒状部と、
からなる内容物通過用のスパウトを備え、
前記下筒状部は、
前記パウチを前記ホルダ枠部材に保持したときに、前記上端溶着部が前記ホルダ枠部材の前記基準外幅以上の長さの幅広部分に配設される形の、ホルダ上下方向の長さを有している、
ことを特徴とするパウチ。
【発明の詳細な説明】
【技術分野】
【０００１】
本発明は、外部空間域へ放出される内容物を収容し、内容物放出用のポンプ機構の環状カラー部との結合作用を呈するスパウト、およびこれに取り付けられた軟性袋状本体からなるパウチを、硬性かつ開閉態様のホルダの内部に保持するパウチ保持構造に関する。
【０００２】
特に、パウチ収容状態のホルダ枠部材の上端側を内容物放出操作時の利用者が把持しやすい従来の狭幅形状のままとして、軟性袋状本体の上端側溶着部に設けられる内容物通過用筒状部のスパウトを長くしたものである。
【０００３】
このスパウトのいわば高身長化により、狭幅のホルダ枠部材上端側の位置では折り曲げないと収容保持できなかった軟性袋状本体の上端側溶着部を、ホルダ枠部材の上端側よりも下方の広幅部分で、当該折曲げの作業なしに収容保持できるようにしている。
【０００４】
すなわち、内容物放出操作時における利用者のホルダ把持のしやすさを考慮して軟性袋状本体よりも狭幅に設定されたホルダ枠部材上端部に、当該軟性袋状本体の上端側溶着部を収容する、といった従来のいわば固定観念を捨象したものである。
【０００５】
軟性袋状本体は、狭幅のホルダ枠部材上端部より下方の広幅部分に、その全体が下方にシフトした状態で収容保持される。
【０００６】
軟性袋状本体の下方へのシフト相当分だけスパウトを長く設定している。このスパウトの下方延長部分は図１に示すようにホルダ枠部材の内部に収容される。
【０００７】
このようなパウチ保持構造の構成要素としてのスパウト自体およびパウチ自体もそれぞれ本発明の対象とする。
【０００８】
本明細書では、軟性袋状本体およびホルダ枠部材の幅に関して、軟性袋状本体の上端側溶着部の「基準幅ｗ１」ならびにホルダ枠部材上端部の「狭幅ｗ２」およびホルダ枠部材胴部の「広幅ｗ３」の各語を用いる。
【０００９】
これらの「幅」用語は、それぞれ図１および図２の左右方向の長さ、すなわち開閉可能なホルダ枠部材(図示の場合、軟性袋状本体が入れられた方の正面向きホルダ枠部材)の横方向の長さを示している。
【００１０】
ここで「基準幅ｗ１」は軟性袋状本体の上端側溶着部の外幅（開口部を含む）を示し、「狭幅ｗ２」および「広幅ｗ３」はそれぞれホルダ枠部材の内幅を示している。
なお、ｗ１，ｗ２およびｗ３の長さ関係は略「ｗ２＜ｗ１≦ｗ３」である。
【背景技術】
【００１１】
従来のパウチ11，ホルダ12およびポンプ機構13からなるポンプ式製品（図２参照）は、軟性袋状本体11ａを収容するホルダ枠部材12ａの上端部の幅（内幅）ｗ２が当該軟性袋状本体の上端側溶着部11ｃの基準幅ｗ１（外幅）よりも小サイズになっている。
【００１２】
すなわち「ｗ２＜ｗ１」に設定されている（特許文献１参照）。
なお、軟性袋状本体11ａの基準幅ｗ１は、その開口部11ｂの左右に形成された一対の上端側溶着部11ｃを折り曲げないときの幅である。
【００１３】
このｗ１，ｗ２のサイズ設定により、ホルダ枠部材12ａの上端側の外周面部分も利用者の把持対象部として積極的に作用し、利用者が持ちやすいホルダ枠部材形状に設計されている。
【００１４】
その一方で、狭幅ｗ２のサイズ形状からなるホルダ枠部材12ａの上端側内部空間域に、これよりも広い基準幅ｗ１の軟性袋状本体11ａの上端側溶着部11ｃを入れなければならない。
【００１５】
これを可能にするため、利用者は、一対の上端側溶着部11ｃをそれぞれ折り曲げて、図２の点線で示すようにその実質幅がホルダ枠部材12ａの上端部の狭幅ｗ２より小さくなる態様に変形させている。
【００１６】
一対のホルダ枠部材12ａは、一方の内部にこの変形後の軟性袋状本体11ａを入れた状態で閉じられる。この閉状態は、ヒンジ結合部12ｂとは反対側の上下方向端面部分に設けた凹状部と凸状部とのロック作用部12ｃにより保持される。
【００１７】
一対のホルダ枠部材12ａの上端部にはそれぞれ、上記収容閉状態の軟性袋状本体11ａの流出側筒状部としてのスパウト11ｄを位置決め・保持するための半円形の切欠状部が形成されている。
【００１８】
また、ポンプ機構13は、その環状カラー部13ａとスパウト11ｄの上側外周面との螺子結合により当該スパウトに固定保持されている。
【先行技術文献】
【特許文献】
【００１９】
【特許文献１】特開２０００−１９１０４３号公報
【発明の概要】
【発明が解決しようとする課題】
【００２０】
このように従来のパウチ保持構造の場合、基準幅ｗ１に対応の上端側溶着部からなる軟性袋状本体をホルダに保持・収容するためには、この上端側溶着部をそれぞれ折り曲げてｗ２以下の狭幅状態に変形させることが必要であった。
【００２１】
一度でも経験すると明らかなように、軟性袋状本体を、その上端側溶着部それぞれが内側に折り曲げられた形で開状態のホルダ枠部材に収容し、この一対のホルダ枠部材同士を閉じたロック状態に設定することは、結構面倒な作業である。
【００２２】
そこで、本発明では、パウチ収容状態のホルダ枠部材の上端側を内容物放出操作時の利用者が把持しやすい従来の狭幅形状のままとして、軟性袋状本体の上端側溶着部に設定される内容物通過用筒状部のスパウトを長くしている。
【００２３】
このスパウト高身長化により、軟性袋状本体の上端側溶着部を、当該折曲げの作業なしでホルダ枠部材胴部の広幅部分に収容保持できるようにしている。
【００２４】
すなわち軟性袋状本体を、狭幅のホルダ枠部材上端部より下方の広幅部分にシフトさせた位置で収容保持している。このシフト分だけスパウトが従来のものよりも長くなっている。
【００２５】
これにより、従前のポンプ式製品状態における利用者の内容物放出操作の単純・利便化を維持しつつ、従来の基準幅ｗ１の上端側溶着部からなる軟性袋状本体をホルダ枠部材へ収容して保持する際の組込み作業の簡単・確実化を図ることを目的とする。
【課題を解決するための手段】
【００２６】
本発明は、以上の課題を次のようにして解決する。
（１）外部空間域へ放出される内容物を収容する軟性袋状本体（例えば後述の軟性袋状本体３ａ）と、トリガレバータイプの回動操作部（例えば後述のトリガレバー１ｂ）を有する内容物放出用ポンプ機構（例えば後述のポンプ機構１）の環状カラー部（例えば後述の環状カラー部１ｃ）が取り付けられて前記軟性袋状本体の開口部（例えば後述の中央開口部３ｄ）からの内容物流出域として作用する硬性のスパウト（例えば後述のスパウト３ｅ）と、からなるパウチ（例えば後述のパウチ３）を、幅狭の上端部（例えば後述の狭幅ｗ２のホルダ上端部）を有し硬性で開閉態様のホルダ（例えば後述のホルダ４）に保持するパウチ保持構造（例えば後述のパウチ保持構造２）において、
前記ホルダは、
一対で、それぞれの上端側が、前記軟性袋状本体の上端溶着部（例えば後述の上端溶着部３ｃ）の基準外幅（例えば後述の基準幅ｗ１）以上の広い内幅部分から前記上端部へといたる範囲においてその上側が狭くなる内幅態様で形成され、かつ利用者が前記回動操作部を放出操作する際に把持しやすい上端側幅狭部分からなって、開閉自在なホルダ枠部材（例えば後述のホルダ枠部材４ａ）と、
前記上端部に形成されて前記スパウトを位置決めする一対の内側切欠状部分（例えば後述の一対の中央切欠状部分４ｂ）と、を備え、
前記スパウトは、
前記パウチを前記ホルダ枠部材に保持したときに、
前記内側切欠状部分の上側に位置して前記環状カラー部と結合する上筒状部（例えば後述の上筒状部３ｆ）と、
前記内側切欠状部分の下側に位置して前記上端溶着部の前記開口部まで連続する下筒状部（例えば後述の下筒状部３ｇ）と、を備え、
前記下筒状部は、
前記パウチを前記ホルダ枠部材に保持したときに、前記上端溶着部が前記ホルダ枠部材の前記基準外幅以上の長さの幅広部分（例えば後述の広幅ｗ３の胴部分）に配設される形の、ホルダ上下方向の長さを有している、
構成態様のものを用いる。
（２）上記（１）のパウチ保持構造を構成するスパウトであって、
前記環状カラー部との結合作用を呈する上筒状部（例えば後述の上筒状部３ｆ）と、
前記上端溶着部の前記開口部に取り付けられる下筒状部（例えば後述の下筒状部３ｇ）と、を備え、
前記下筒状部は、
前記パウチを前記ホルダ枠部材に保持したときに、前記上端溶着部が前記ホルダ枠部材の前記基準外幅以上の長さの幅広部分に配設される形の、ホルダ上下方向の長さを有している、
構成態様のものを用いる。
（３）上記（１）のパウチ保持構造を構成するパウチであって、
前記ホルダ枠部材に保持されたときに、
前記内側切欠状部分の上側に位置して前記環状カラー部と結合する上筒状部（例えば後述の上筒状部３ｆ）と、
前記内側切欠状部分の下側に位置して前記上端溶着部の前記開口部まで連続する下筒状部（例えば後述の下筒状部３ｇ）と、
からなる内容物通過用のスパウト（例えば後述のスパウト３ｅ）を備え、
前記下筒状部は、
前記パウチを前記ホルダ枠部材に保持したときに、前記上端溶着部が前記ホルダ枠部材の前記基準外幅以上の長さの幅広部分に配設される形の、ホルダ上下方向の長さを有している、
構成態様のものを用いる。
【００２７】
このような構成からなるパウチ保持構造ならびにその構成要素としてのスパウトおよびパウチを本発明の対象としている。
【発明の効果】
【００２８】
本発明は以上の課題解決手段により、従前のポンプ式製品における内容物放出操作の単純・利便化を維持しつつ、従来の基準幅ｗ１の上端側溶着部からなる軟性袋状本体をホルダ枠部材へ収容して保持する組込み作業の簡単・確実化を図ることができる。
【図面の簡単な説明】
【００２９】
【図１】本発明の、ホルダ枠部材および軟性袋状本体それぞれの上端側部分の形状，大きさを特に変えることなしに、基準幅ｗ１のパウチ上端側溶着部を、ホルダ枠部材の広幅ｗ３（ｗ３≧ｗ１）部分へ下方シフトさせたパウチ保持構造を示す説明図である。
【図２】従来の、軟性袋状本体の上端側溶着部（基準幅ｗ１）を狭幅ｗ２（ｗ２＜ｗ１）のホルダ枠部材上端部に組み込む形のパウチ保持構造を示す説明図である。
【発明を実施するための形態】
【００３０】
図１を用いて本発明を実施するための形態を説明する。
【００３１】
なお、原則として、各図で用いるアルファベット付き参照番号の構成要素（例えば孔部１ａ）は当該参照番号の数字部分の構成要素（例えばポンプ機構１）の一部である。
【００３２】
図１において、
１はトリガレバータイプの周知のプラスチック製のポンプ機構，
１ａは当該ポンプ機構の内容物通路部の先端側に形成された内容物放出用の孔部，
１ｂは内容物放出操作用のトリガレバー，
１ｃは当接ポンプ機構の内容物流入側部分に設けられて、後述のスパウト３ｅの上端側外周面（上筒状部３ｆの外周面）と螺子結合する環状カラー部，
２は後述のパウチ３およびホルダ４からなるパウチ保持構造，
をそれぞれ示している。
【００３３】
また、
３はパウチ保持構造２の構成要素であって、外部空間域への放出対象の各種内容物を収容する袋態様でプラスチック製のパウチ，
３ａは各種内容物が収容される軟性袋状本体，
３ｂは軟性袋状本体３ａを構成する一対の対向周面部，
３ｃは対向周面部３ｂそれぞれの上端部分同士を結合させた左右一対の上端側溶着部（基準幅ｗ１），
３ｄは左右一対の上端側溶着部３ｃの間に設定された中央開口部（開口部），
３ｅは中央開口部３ｄに上向き状態で固定保持され、内容物通路部として作用する硬性筒状のスパウト，
３ｆはスパウト３ｅの上側下流部分であって、その外周面が環状カラー部１ｃと螺子結合する上筒状部，
３ｇはスパウト３ｅの下側上流部分であって、後述のホルダ枠部材４ａに固定保持された当該パウチの上端側溶着部３ｃの位置をいわば「かさ下げ」する、すなわち当該上端側溶着部を当該ホルダ枠部材の「広幅ｗ３」部分に下方シフトさせるための下筒状部，
３ｈは上筒状部３ｆと下筒状部３ｇとの間の略境界部分に形成されて、当該パウチが組み入れられた後述のホルダ４が閉状態のとき、後述の一対の周方向凹状部４ｃと係合した状態で保持される外向き環鍔状部，
をそれぞれ示している。
【００３４】
また、
４はパウチ保持構造２の構成要素であって、パウチ３をいわば挟み込んで保持するプラスチック製の硬性のホルダ，
４ａは当該ホルダを構成し、それぞれ狭幅ｗ２の上端部を有して、当該ホルダが閉状態のとき、パウチ３を内部に収容保持する開閉自在で一対のホルダ枠部材，
４ｂはホルダ枠部材４ａそれぞれの上端部に形成されて、当該ホルダが閉状態のとき、その中のスパウト３ｅの径方向をいわば位置決めする半円形状の一対の中央切欠状部分（内側切欠状部分），
４ｃはホルダ枠部材４ａそれぞれの上端部に中央切欠状部分４ｂと連続する態様で形成されて、当該ホルダが閉状態のとき、スパウト３ｅの外向き環鍔状部３ｈと係合してこれを保持する半円周相当の、一対で内側開口の周方向凹状部，
４ｄはホルダ枠部材４ａそれぞれの上下方向端部の一方同士を連結して、当該ホルダの開閉中心作用を呈するヒンジ結合部，
４ｅはホルダ枠部材４ａそれぞれの上下方向端部の他方に個別形成されて、当該ホルダの閉状態を維持する一対のロック作用部，
をそれぞれ示している。
【００３５】
なお、ホルダ４の上端側から下側の同一幅胴部へといたる幅変化は下広がりとなっている。すなわち後述の狭幅ｗ２の上端部分から広幅ｗ３の斜面胴部を経て当該同一幅胴部へといたる下広がりの幅変化であり、ホルダ４は図２のホルダ12のそれと同様の形状からなっている。
【００３６】
また、
ｗ１は軟性袋状本体３ａの上端側溶着部３ｃの基準幅（外幅：図２でも使用），
ｗ２はホルダ枠部材４ａの上端部における狭幅（内幅＜ｗ１：図２でも使用），
ｗ３はホルダ枠部材４ａの胴部における広幅（内幅≧ｗ１），
Ｈはスパウト３ｅの下筒状部３ｇの高さ、すなわち本発明の軟性袋状本体３ａの上端側溶着部３ｃをホルダ枠部材４ａの広幅ｗ３の部分に配設するための上下方向落差，
をそれぞれ示している。
【００３７】
図示のパウチ保持構造の基本的特徴は、
(11)パウチ収容状態のホルダ枠部材４ａの上端側形状を内容物放出操作時の利用者が把持しやすい従来の狭幅ｗ２のままとして、軟性袋状本体３ａの上端側溶着部３ｃに設定される内容物通過用筒状部のスパウト３ｅを長くし、
(12)すなわち、ポンプ機構１の環状カラー部１ｃとの螺子結合作用を呈する汎用の上筒状部３ｆとは別に下筒状部３ｇを新たに形成し、
(13)下筒状部３ｇの新設にともなう上下方向落差Ｈのスパウト高身長化により、軟性袋状本体３ａの上端側溶着部３ｃを、ホルダ枠部材上端側の狭幅部分よりも当該Ｈだけ下方の広幅ｗ３の部分に、当該上端側溶着部の折曲げ作業なしに収容保持できるようにした、
ことである。
【００３８】
図１の内容物収容済みの新しいパウチ３をホルダ４に取り付けるときの作業手順は、
(21)先ず、開状態のホルダ枠部材４ａの一方に、パウチ３の対向周面部３ｂの片方側を、その外向き環鍔状部３ｈがホルダ４の周方向凹状部４ｃに係合する形で取り付け、
(22)次に、ホルダ枠部材４ａの他方を閉じて、外向き環鍔状部３ｈおよび周方向凹状部４ｃの全体同士を係合させ、かつ、ロック作用部４ｅにより当該ホルダ枠部材同士をロック状態に設定する、
などとなる。
【００３９】
ポンプ機構１を取り付けていない段階のパウチ３の場合、その上筒状部３ｆの外周螺子面に内容物流出阻止用のキャップ（図示省略）が螺合状態で取り付けられている。
【００４０】
このキャップを取り外してから、上筒状部３ｆの外周螺子面にポンプ機構１の環状カラー部１ｃを螺合させることにより、各種用途のポンプ式製品として作用しえる。
【００４１】
すなわち、ポンプ機構１の環状カラー部１ｃをパウチ３の上筒状部３ｆに取り付けたポンプ式製品のトリガレバー１ｂを図１の反時計方向の右側に引くと、周知のポンプ機構の吐出弁と吸込弁との間の内容物貯留空間域の容積が小さくなる。
【００４２】
また、この内容物貯留空間域の容積減少にともない、当該空間域の内部圧力が大きくなって「吸込弁：閉，吐出弁：開」の状態へシフトし、当該空間域の貯留内容物が孔部１ａから外部空間域へ放出される。
【００４３】
利用者がトリガレバー１ｂの内容物放出操作をやめると、当該トリガレバーは周知の弾性作用により操作前の初期位置に復帰する。
【００４４】
このトリガレバー１ｂの復帰動作にともない、吐出弁は閉じるとともに、内容物貯留空間域の容積が大きくなってそこでの内部圧力が減じ、それまで閉じていた吸込弁は開状態へとシフトする。
【００４５】
この内部圧力の減少および吸込弁の開状態へのシフトにより、ポンプ機構内部の内容物貯留空間域には、軟性袋状本体３ａの収容内容物がスパウト３ｅを介して流入する。
【００４６】
この内容物流入により内容物貯留空間域の内部圧力が軟性袋状本体３ａのそれと略同じになるまで増加すると吸込弁が閉じる。この吸込弁が閉じたときの貯留内容物が次回の放出対象内容物に相当する。以上のポンプ機構の動作は勿論周知である。
【００４７】
パウチ３の収容内容物がなくなった場合などには、ホルダ４のロック作用部４ｅのロック動作を解除してからホルダ枠部材４ａを開き、使用済みのパウチを取り外して、新たなパウチと交換すればよい。
【００４８】
本発明が図示の実施形態に限定されないことは勿論であり例えば、
(31)ホルダ枠部材４ａの上端部の広幅ｗ３を、軟性袋状本体３ａの上端側溶着部３ｃの基準幅ｗ１と略同じ幅に設定する、
(32)スパウト３ｅの上筒状部３ｆまたは下筒状部３ｇの各外周面の横断面形状を楕円，小判，長方形などの円以外の形状に設定する、
ようにしてもよい。
【符号の説明】
【００４９】
（図１のみで使用）
１：ポンプ機構
１ａ：内容物放出用の孔部
１ｂ：トリガレバー
１ｃ：環状カラー部
２：パウチ保持構造
３：パウチ
３ａ：軟性袋状本体
３ｂ：軟性袋状本体の一対の対向周面部
３ｃ：上端側溶着部（基準幅ｗ１）
３ｄ：中央開口部（開口部）
３ｅ：スパウト
３ｆ：スパウト３ｅの上筒状部
３ｇ：スパウト３ｅの下筒状部
３ｈ：外向き環鍔状部
４：ホルダ
４ａ：一対のホルダ枠部材
４ｂ：一対の中央切欠状部分（内側切欠状部分）
４ｃ：一対の周方向凹状部
４ｄ：ヒンジ結合部
４ｅ：一対のロック作用部，
ｗ１：軟性袋状本体の上端側溶着部の基準幅（外幅：図２でも使用）
ｗ２：ホルダ枠部材４ａの上端部における狭幅（内幅＜ｗ１：図２でも使用）
ｗ３：ホルダ枠部材４ａの胴部における広幅（内幅≧ｗ１）
Ｈ：下筒状部３ｇの高さ（パウチ３の上端側溶着部３ｃの下方シフト分）
【００５０】
（図２のみで使用）
11：パウチ
11ａ：軟性袋状本体
11ｂ：開口部
11ｃ：上端側溶着部（基準幅ｗ１）
11ｄ：スパウト
12：ホルダ
12ａ：ホルダ枠部材
12ｂ：ヒンジ結合部
12ｃ：ロック作用部
13：ポンプ機構
13ａ：環状カラー部
【図１】
0006465478.tif 000002
【図２】
0006465478.tif 000003